(57)【要約】【課題】組み立て作業が容易で、安価なコンパクト容器を提供する。【解決手段】容器本体１と、それ自体の後端部が上記容器本体１の後端部に回動自在にヒンジ連結された蓋体２とを備えている。そして、上記容器本体１の上面および蓋体２の下面の少なくとも一方に凹部１２を形成し、この凹部１２にゴム弾性部材１３を、その上端部を上記凹部１２から突出させた状態で固定し、上記容器本体１の上面を蓋体２で蓋した状態で、上記ゴム弾性部材１３の上端部を上記容器本体１の上面および蓋体２の下面の他方に押圧状に当接させるようにしている。【選択図】図２１
2005046532.tif 000002
【特許請求の範囲】
【請求項１】
容器本体と、それ自体の後端部が上記容器本体の後端部に回動自在にヒンジ連結された蓋体とを備え、上記容器本体の上面および蓋体の下面の少なくとも一方に凹部を形成し、この凹部にゴム弾性部材を、その上端部を上記凹部から突出させた状態で固定し、上記容器本体の上面を蓋体で蓋した状態で、上記ゴム弾性部材の上端部を上記容器本体の上面および蓋体の下面の他方に押圧状に当接させるようにしたことを特徴とするコンパクト容器。
【請求項２】
上記ゴム弾性部材が、ウレタン系ゴムからなる請求項１記載のコンパクト容器。
【請求項３】
上記容器本体の前端部に、容器本体と蓋体との係合を解除しうる開蓋用操作片を設けた請求項１または２記載のコンパクト容器。
【発明の詳細な説明】
【技術分野】
【０００１】
本発明は、コンパクト容器に関するものである。
【背景技術】
【０００２】
従来から、ファンデーション等の化粧料を収容して携帯するコンパクト容器として、図２３に示すようなものが出回っている。このコンパクト容器は、上面に化粧皿収容凹部４１ａとパフ収容凹部４１ｂとが形成された容器本体４１と、この容器本体４１の上面を蓋する蓋体４２とを備えており、上記容器本体４１の後端部に設けた切欠部４１ｃに、蓋体４２の後端部から垂下させた連結部４２ａをヒンジ連結している。また、上記連結部４２ａに貫通孔４３を穿設し、この貫通孔４３にＵ字状のばね材４４を固定し、このばね材４４のＵ字状の二股部の一方４４ａを蓋体４２の一部に当接させるとともに、他方４４ｂを容器本体４１の一部に圧縮状態で当接させている。そして、操作片４５を押し込み、容器本体４１の前端部の係合凸部４６と蓋体４２の前端部の係合爪４７との係合を解除すると（図２４参照）、上記ばね材４４の弾性力により、蓋体４２が自動的に跳ね上がるようにしている（例えば、特許文献１）。図において、４８は化粧料４８ａを収容した化粧皿であり、４９はパフである。
【特許文献１】実開平７−３０９１２号公報
【発明の開示】
【発明が解決しようとする課題】
【０００３】
しかしながら、上記のコンパクト容器では、蓋体４２の連結部４２ａに穿設した貫通孔４３にＵ字状のばね材４４を組み付ける作業に手間がかかり、作業性が悪い。しかも、ばね材４４はＵ字状に形成されていて、構造が複雑であるため、製作費が高価になり、コンパクト容器のコストが上がる。しかも、蓋体４２の連結部４２ａに貫通孔４３が穿設されているため、蓋体４２を作製するための金型の構造が複雑になり、製作費が高価になることから、さらにコンパクト容器のコストが上がる。しかも、開蓋時における、ばね材４４の弾性力による蓋体４２の跳ね上がりの感触は、かたい感じがする。
【０００４】
本発明は、このような事情に鑑みなされたもので、開蓋時に蓋体がスムーズに跳ね上がるコンパクト容器であって、組み立て作業が容易で、安価なコンパクト容器の提供を目的とする。
【課題を解決するための手段】
【０００５】
この目的を達成するため、本発明のコンパクト容器は、容器本体と、それ自体の後端部が上記容器本体の後端部に回動自在にヒンジ連結された蓋体とを備え、上記容器本体の上面および蓋体の下面の少なくとも一方に凹部を形成し、この凹部にゴム弾性部材を、その上端部を上記凹部から突出させた状態で固定し、上記容器本体の上面を蓋体で蓋した状態で、上記ゴム弾性部材の上端部を上記容器本体の上面および蓋体の下面の他方に押圧状に当接させるようにしたという構成をとる。
【発明の効果】
【０００６】
すなわち、本発明のコンパクト容器は、容器本体の上面および蓋体の下面の少なくとも一方に形成した凹部にゴム弾性部材を、その上端部を上記凹部から突出させた状態で固定している。そして、上記容器本体の上面を蓋体で蓋した状態で、上記ゴム弾性部材の上端部を上記容器本体の上面および蓋体の下面の他方に押圧状に当接させるようにしている。このように、本発明のコンパクト容器では、上記容器本体の上面および蓋体の下面の少なくとも一方に形成した凹部から、ゴム弾性部材の上端部を突出させ、閉蓋時に、このゴム弾性部材の上端部を容器本体の上面および蓋体の下面の他方で押圧し、圧縮状に弾性変形させるようにしている。これにより、開蓋時に容器本体と蓋体との係合を解除すると、上記ゴム弾性部材がそれ自身の弾性力により元の姿勢に戻ろうとし、自動的にゴム弾性部材の上端部で蓋体を跳ね上げ、開蓋することができる。しかも、容器本体の上面および蓋体の下面の少なくとも一方に形成した凹部にゴム弾性部材を固定するだけで、容器本体もしくは蓋体にゴム弾性部材を組み付けることができ、組み立て作業が容易になり、作業性が良くなる。しかも、ゴム弾性部材をＵ字状等、特別な形状に形成する必要がないため、ゴム弾性部材の製作費が安価になり（すなわち、ゴム弾性部材の価格が安価になり）、その分コンパクト容器のコストも安価になる。しかも、容器本体の上面および蓋体の下面の少なくとも一方に凹部を形成しているだけであるため、容器本体もしくは蓋体を作製するための金型の構造が簡単になり、容器本体もしくは蓋体の製作費が安価になることから、さらにコンパクト容器のコストも安価になる。しかも、通常の跳ね上げ機構に比べ、やわらかくスムーズな感触で開蓋することができる。
【０００７】
また、上記ゴム弾性部材が、ウレタン系ゴムからなると、耐久性に優れ、長期間にわたって安定した状態で蓋体を跳ね上げることができる。
【０００８】
また、容器本体と蓋体との係合を解除しうる開蓋用操作片を設けると、開蓋用操作片を操作して上記係合を解除したときに、自動的に蓋体を跳ね上げることができる。
【発明を実施するための最良の形態】
【０００９】
つぎに、本発明の実施の形態を図面にもとづいて詳しく説明する。
【００１０】
図１は本発明のコンパクト容器の一実施の形態を示している。図において、１は合成樹脂製の容器本体であり、２は合成樹脂製の蓋体であり、３は合成樹脂製の押しボタン（開蓋用操作片）であり、４は金属製のヒンジ軸である。上記容器本体１には、図２〜図６に示すように、その上面に化粧皿収容凹部１ａが形成されており、この化粧皿収容凹部１ａに、化粧料６ａが収容された金属製の化粧皿６が、その底面に形成された接着剤層（図示せず）を介して収容，固定されている。また、上記化粧皿収容凹部１ａには、その底部に小穴（図示せず）が穿設されており、化粧皿６を化粧皿収容凹部１ａから取り外す際に利用される。また、上記容器本体１の後端部には、その左右方向中央部分に後側切欠き凹部１ｂが切欠き形成されており、この後側切欠き凹部１ｂの左右両側壁１１，１１に一対のヒンジ軸４挿通用の貫通孔１１ａ，１１ａが相対向状に穿設されている。
【００１１】
上記容器本体１には、図３および図５に示すように、その上面の後端部分（上記化粧皿収容凹部１ａの後側部分）の左右方向中央部分に断面形状四角形の凹部１２が形成されており、この凹部１２に感圧接着剤付きゴム弾性部材１３が接着，固定されている。より詳しく説明すると、上記ゴム弾性部材１３は、角柱状部分１４ａの上面から角錐状部分１４ｂが上方に向かって突設されてなるウレタン系ゴム製の弾性部１４と、この弾性部１４の下面に接着，固定された両面テープ１５（図５，図１９および図２１では、図示せず）とで構成されており（図７参照）、この両面テープ１５の上下両面に感圧接着剤層（図示せず）が形成されている。このようなゴム弾性部材１３を容器本体１の凹部１２に接着，固定する場合には、上記ゴム弾性部材１３の両面テープ１５の下面の感圧接着剤層を上記凹部１２の底面に貼り付けることを行う。その状態では、上記ゴム弾性部材１３の角錐状部分１４ｂ（もしくは角柱状部分１４ａの上端部分と角錐状部分１４ｂ）が上記凹部１２から突出している。このため、上記容器本体１の上面を蓋する閉蓋状態では、蓋体２の下面で上記角錐状部分１４ｂが押圧されて圧縮状に弾性変形しながら、蓋体２の下面が上記角錐状部分１４ｂに押圧状に当接している。そして、開蓋時に押しボタン３を押し込み操作すると、後述するように、上記角錐状部分１４ｂで蓋体２がはね上げられる。
【００１２】
また、上記容器本体１の前端面には、その左右方向の略全幅にわたって、それ自体の上面が開放された前側切欠き凹部１ｃが切欠き形成されており、この前側切欠き凹部１ｃの奥面から、後述する押しボタン３の中央左右両側板２６，２６を前後方向に案内する左右一対の平板状案内部１６，１６が前側に向かって突設されている。また、上記左右両案内部１６，１６の外側部分において、上記前側切欠き凹部１ｃの奥面から、後述する押しボタン３の弾性部材３０，３０（図２０および図２２参照）を受け止める左右一対のストッパー部材１７，１７が前側に向かって突設されている。また、上記左右両案内部１６，１６と左右両ストッパー部材１７，１７との間において、上記前側切欠き凹部１ｃの下面に、後述する押しボタン３の凸部２２ａ，２２ａに摺動自在に係合する左右一対の案内溝１８，１８（図６参照）が形成されている。
【００１３】
一方、上記蓋体２には、図８〜図１１に示すように、その下面の前端部の左右方向中央部分から、後述する押しボタン３の係合部（この実施の形態では、係合用突部）２８に着脱自在に係合する被係合部（この実施の形態では、係合用突片）２ａが垂下している。また、上記蓋体２には、その下面の後端部の左右方向中央部分から、容器本体１の後側切欠き凹部１ｂに収容しうるヒンジ連結部２０が垂下しており、上記容器本体１の左右両貫通孔１１ａ，１１ａに対応する上記ヒンジ連結部２０の左右両側部分に左右一対のヒンジ軸挿通穴２０ａが穿設されている。そして、上記左右両貫通孔１１ａ，１１ａおよびこれに対向する左右両ヒンジ軸挿通穴２０ａ，２０ａに左右一対のヒンジ軸４（図１参照。図１では、一方のヒンジ軸４しか図示せず）が無理嵌め状に挿通されている。また、上記蓋体２には、その下面に、鏡収容用凹部２ｂが形成されており、この鏡収容用凹部２ｂにガラス製の鏡（図示せず）が接着，固定されている。
【００１４】
上記押しボタン３は、図１２〜図１６に示すように、後面が解放された長方形状箱体に形成されており、上下両側板２１，２２と左右両側板２３，２４と前側板２５とを備えている。上記上側板２１には、その左右方向中央部分に貫通孔２１ａが穿設されており、この貫通孔２１ａの外周部の左右両側部分および後側部分から中央左右両側板２６，２６および中央後側板２７が垂下している。この中央後側板２７には、その前面に、上記蓋体２の係合用突片２ａに着脱自在に係合する係合用突部２８が突設されている（図１３，図１７および図１９参照）。また、上記中央左右両側板２６，２６は、上記案内部１６，１６により前後方向に案内される。また、上記下側板２２の下面には、上記容器本体１の前側切欠き凹部１ｃの案内溝１８，１８に対応する部分に、上記案内溝１８，１８に摺動自在に係合する左右一対の凸部２２ａ，２２ａが突設されている（図１４および図１９参照）。また、上記前側板２５の後面には、上記左右両ストッパー部材１７，１７に対応する部分に左右一対の円柱形状の支受用凸部２９，２９が後側に向かって突設されており、これら左右両支受用凸部２９，２９に、円筒形状に形成されたシリコンゴム（硬度７０°）製の弾性部材３０，３０が外嵌状に固定されている（図１８参照）。これら両弾性部材３０，３０は、左右両支受用凸部２９，２９の先端から突出しており、その先端面が上記左右両ストッパー部材１７，１７の先端面に当接している（図２０参照）。
【００１５】
上記の構成において、閉蓋状態では、蓋体２の係合用突片２ａと押しボタン３の係合用突部２８とが係合している（図１９参照）。また、この閉蓋状態では、蓋体２の下面が、容器本体１に貼り付けたゴム弾性部材１３の弾性部１４の角錐状部分１４ｂ（図７参照）に押圧状に当接しており（図１９参照）、かつ、押しボタン３の左右両弾性部材３０，３０の先端面が容器本体１の左右両ストッパー部材１７，１７の先端面に当接している（図２０参照）。そして、開蓋する場合には、上記押しボタン３を奥側（後側）に押し込むことを行う（図２１参照）。これにより、左右両ストッパー部材１７，１７で受け止められた左右両弾性部材３０，３０が弾性変形しながら（図２２参照）、押しボタン３が押し込まれて後方に移動し、上記蓋体２の係合用突片２ａと押しボタン３の係合用突部２８との係合が外れる。と同時に、ゴム弾性部材１３の弾性部１４の弾性力により蓋体２が上記弾性部１４の角錐状部分１４ｂで上方に跳ね上げられ、自動的に開蓋される。
【００１６】
上記のように、この実施の形態では、押しボタン３を押し込むと、蓋体２の係合用突片２ａと押しボタン３の係合用突部２８との係合が外れ、ゴム弾性部材１３の弾性力により蓋体２が跳ね上げられ、開蓋される。しかも、容器本体１の凹部１２にゴム弾性部材１３を貼り付けるだけで、簡単に容器本体１にゴム弾性部材１３を取り付けることができ、作業性が良い。しかも、ゴム弾性部材１３の弾性部１４の材料として、ウレタン系ゴムを用いているため、耐久性に優れ、長期にわたって蓋体２を跳ね上げることができるうえ、ゴム弾性部材１３の色を容器本体１，蓋体２の色に合わせたり、形状や色等を誕生石等に似たものとする等、各種の加飾を行うことができる。しかも、ゴム弾性部材１３がワンポイントマークのように見え、見栄えがよい。また、ゴム弾性部材１３を複数用い、色としてデザインを楽しむことができる。しかも、上記ゴム弾性部材１３は、市販品等を使用することができ、安価であるため、コンパクト容器のコストが安価になる。しかも、容器本体１は、通常の容器本体１の上面に凹部１２を設けただけのものであるため、容器本体１を作製するための金型が簡単構造であり、容器本体１の製作費が安価になることから、さらにコンパクト容器のコストが安価になる。
【００１７】
なお、上記実施の形態では、押しボタン３により開蓋するようにしているが、これに限定するものではなく、各種の開蓋構造を設けることができる。また、上記実施の形態では、容器本体１の上面に、ゴム弾性部材１３を接着，固定するための凹部１２を設けているが、この凹部１２を蓋体２の下面に設けるようにしてもよい。また、上記実施の形態では、容器本体１の上面の後端部分（すなわち、容器本体１と蓋体２との連結部分の近傍部分）に凹部１２を形成しているが、容器本体１の上面もしくは蓋体２の下面であれば、どこに凹部１２を形成してもよく、好ましくは、上記の後端部分である。また、上記実施の形態では、中蓋，中枠等を設けていないが、これら中蓋，中枠等を設けるようにしてもよい。この場合には、中蓋，中枠等は容器本体１の一部を構成するものとする。
【００１８】
また、上記実施の形態では、ゴム弾性部材１３の弾性部１４の材質として、ウレタン系ゴムを用いているが、ウレタン系ゴムに代えて、アクリル系ゴム，シリコーン系ゴム等の各種のゴムを用いることができる。
【図面の簡単な説明】
【００１９】
【図１】本発明のコンパクト容器の一実施の形態を示す側面図である。
【図２】容器本体の側面図である。
【図３】上記容器本体の平面図である。
【図４】上記容器本体の正面図である。
【図５】上記容器本体の断面図である。
【図６】上記容器本体の要部の断面図である。
【図７】ゴム弾性部材の側面図である。
【図８】蓋体の側面図である。
【図９】上記蓋体の底面図である。
【図１０】上記蓋体の正面図である。
【図１１】上記蓋体の断面図である。
【図１２】押しボタンの正面図である。
【図１３】上記押しボタンの平面図である。
【図１４】上記押しボタンの底面図である。
【図１５】上記押しボタンの側面図である。
【図１６】上記押しボタンを後ろから見た図である。
【図１７】上記押しボタンの断面図である。
【図１８】上記押しボタンの要部の断面図である。
【図１９】上記コンパクト容器の作用を示す説明図である。
【図２０】上記コンパクト容器の作用を示す説明図である。
【図２１】上記コンパクト容器の作用を示す説明図である。
【図２２】上記コンパクト容器の作用を示す説明図である。
【図２３】従来例の断面図である。
【図２４】上記従来例の作用を示す断面図である。
【符号の説明】
【００２０】
１    容器本体
２    蓋体
１２  凹部
１３  ゴム弾性部材
【図１】
2005046532.tif 000003
【図２】
2005046532.tif 000004
【図３】
2005046532.tif 000005
【図４】
2005046532.tif 000006
【図５】
2005046532.tif 000007
【図６】
2005046532.tif 000008
【図７】
2005046532.tif 000009
【図８】
2005046532.tif 000010
【図９】
2005046532.tif 000011
【図１０】
2005046532.tif 000012
【図１１】
2005046532.tif 000013
【図１２】
2005046532.tif 000014
【図１３】
2005046532.tif 000015
【図１４】
2005046532.tif 000016
【図１５】
2005046532.tif 000017
【図１６】
2005046532.tif 000018
【図１７】
2005046532.tif 000019
【図１８】
2005046532.tif 000020
【図１９】
2005046532.tif 000021
【図２０】
2005046532.tif 000022
【図２１】
2005046532.tif 000023
【図２２】
2005046532.tif 000024
【図２３】
2005046532.tif 000025
【図２４】
2005046532.tif 000026